(57)【要約】      （修正有）【課題】インジケータタグ及びそれを製作するための方法の提供。【解決手段】インジケータタグ１００は、複数の孔を含む３次元メッシュ１０４であって、３次元メッシュ１０４は、水溶性及び紫外線（ＵＶ）光硬化性インクで印刷されている、３次元メッシュ１０４と、３次元メッシュ１０４を封入する容器１０２と、３次元メッシュ１０４に連結された膜１０６と、膜１０６の上部上に分配された染料１０８と、を含み、３次元メッシュ１０４は、染料１０８と接触したときに、染料１０８と相互作用して、指標を提供する。【選択図】図１
2020101797.tif 000002
【特許請求の範囲】
【請求項１】
インジケータタグであって、
複数の孔を含む３次元メッシュであって、前記３次元メッシュが、水溶性及び紫外線（ｕｌｔｒａ−ｖｉｏｌｅｔ、ＵＶ）光硬化性インクで印刷されている、３次元メッシュと、
前記３次元メッシュを封入する容器と、
前記３次元メッシュに連結された膜と、
前記膜の上部上に分配された染料であって、前記３次元メッシュが、前記染料と接触しているときに、前記染料と相互作用して、指標を提供する、染料と、を含む、インジケータタグ。
【請求項２】
前記膜が、前記３次元メッシュの上側に取り外し可能に連結されており、前記膜が、除去されて、前記３次元メッシュを前記染料に曝露させる、請求項１に記載のインジケータタグ。
【請求項３】
前記膜が、接着剤を介して前記３次元メッシュの前記上側に連結されており、前記膜が、穿刺されて、前記３次元メッシュを前記染料に曝露させる、請求項１に記載のインジケータタグ。
【請求項４】
前記膜が、非透過性膜を含み、前記指標が、有効期限を含む、請求項１に記載のインジケータタグ。
【請求項５】
前記複数の孔が、前記染料と接触しているときに、色を変化させ、かつ完全に溶解する時間の関数としてサイズ決定される、請求項４に記載のインジケータタグ。
【請求項６】
前記膜が、温度感受性膜を含み、前記指標が、温度を含む、請求項１に記載のインジケータタグ。
【請求項７】
前記複数の孔が、前記温度感受性膜が閾値を上回る温度への曝露によって除去されるときに、前記染料との接触時に即時的な反応を引き起こす直径を有する、請求項６に記載のインジケータタグ。
【請求項８】
前記膜が、時間及び温度感受性膜を含み、前記指標が、有効期限及び温度を含む、請求項１に記載のインジケータタグ。
【請求項９】
前記膜が、事前定義された温度で事前定義された時間量まで曝露された後に溶解するパラフィンワックスを含む、請求項８に記載のインジケータタグ。
【請求項１０】
前記膜が、事前定義された量の圧力下で破裂する材料を含み、前記指標が、圧力の量を含む、請求項１に記載のインジケータタグ。
【請求項１１】
前記膜が、多孔質材料を含み、前記膜の膜孔が、事前定義された圧力量に曝露されたときに、前記染料を放出するように開放されている、請求項１に記載のインジケータタグ。
【請求項１２】
水溶性及びＵＶ光硬化性インクの色が、前記染料の色の相補的な色である、請求項１に記載のインジケータタグ。
【請求項１３】
前記３次元が、完全に溶解して、前記染料に曝露されたときに、前記相補的な色の液体を形成する、請求項１に記載のインジケータタグ。
【請求項１４】
可変磁気整列を有する磁性材料を製作するための方法であって、
印刷デバイスによって、水溶性及び紫外線（ＵＶ）光硬化性インクで３次元メッシュを印刷することであって、前記３次元メッシュが、複数の孔を伴って印刷される、印刷することと、
前記３次元メッシュを容器で封入することと、
前記３次元メッシュの上部上に膜を適用することと、
前記膜の上部上に染料を分配することであって、前記３次元メッシュが、前記染料と接触しているときに、前記染料と相互作用して、指標を提供する、分配することと、を含む、方法。
【請求項１５】
前記膜を除去して、前記３次元メッシュを前記染料に曝露させて、前記指標を提供することを更に含む、請求項１４に記載の方法。
【請求項１６】
前記膜が、非透過性膜を含み、前記指標が、有効期限を含む、請求項１４に記載の方法。
【請求項１７】
前記膜が、温度感受性膜を含み、前記指標が、温度を含む、請求項１４に記載の方法。
【請求項１８】
前記膜が、時間及び温度感受性膜を含み、前記指標が、有効期限及び温度を含む、請求項１４に記載の方法。
【請求項１９】
前記膜が、事前定義された圧力量の下で破裂する材料を含み、前記指標が、圧力量を含む、請求項１４に記載の方法。
【請求項２０】
インジケータタグであって、
複数の孔を含む３次元メッシュであって、前記３次元メッシュが、水溶性及び紫外線（ＵＶ）光硬化性インクで印刷され、前記複数の孔の平均直径が、指標の所望の速度の関数である、３次元メッシュと、
前記３次元メッシュを封入する容器であって、前記容器の高さが、前記３次元メッシュの高さよりも高い、容器と、
前記３次元メッシュの上で前記容器に連結された膜と、
前記膜の上部上及び前記容器の内側に分配された染料であって、前記３次元メッシュが、前記膜が除去され、かつ前記染料が前記３次元メッシュに接触するときに、前記染料と相互作用して、指標を提供し、前記指標が、前記３次元メッシュの前記複数の孔の平均直径に基づく有効期限、事前定義された温度で溶融する膜に基づく温度、又は事前定義された圧力に曝露されたときに開放する膜孔を含む膜に基づく圧力、のうちの少なくとも１つを含む、染料と、を含む、インジケータタグ。
【発明の詳細な説明】
【技術分野】
【０００１】
本開示は、概して、様々なインジケータタグに関し、より具体的には、色遷移を呈するインジケータタグ及びそれを作製するための方法に関する。
【０００２】
有効期限を有する様々な製品が製造されている。例えば、食物及び薬物は、有効期限を有し得る。ある一定の期間の後、食品は、腐敗し得るか、又は薬物は、無効となり得る。他の産業において、製品は、曝露の制限を有し得る。例えば、いくつかの電子機器は、温度制限又は圧力制限を有し得る。例えば、電子機器がある一定の高い温度又は圧力に曝露されると、電子機器は、故障する傾向があり得る。
【０００３】
いくつかの以前の解決策は、有効期限の日付を示すように、日付を手動で書き込むことであり得る。電子機器に関して、ユーザは、高い温度及び／又は圧力への曝露を防止する責任を負い得る。しかしながら、これらの手動の解決策は、信頼性が高くない場合がある。
【０００４】
加えて、以前の自動化された解決策を使用することは、経済的又は実用的に実現可能ではない場合がある。例えば、時計又は他のタイプの電子／電池動作タイマを食品又は薬物に入れることは、実用的又は経済的意味をなさない場合がある。電子デバイス上に電子センサを置くこともまた、これらの電子デバイスの製造及び／又は生産に費用を付加し得る。
【０００５】
本明細書に例解される態様によれば、インジケータタグ及びそれを製作するための方法が提供される。本実施形態の１つの開示される特徴は、インジケータタグであって、複数の孔を含む３次元メッシュであって、３次元メッシュは、水溶性及び紫外線（ｕｌｔｒａ−ｖｉｏｌｅｔ、ＵＶ）光硬化性インクで印刷されている、３次元メッシュと、３次元メッシュを封入する容器と、３次元メッシュに連結された膜と、膜の上部上に分配された染料であって、３次元メッシュは、染料と接触しているときに、染料と相互作用して、指標を提供する、染料と、を含む、インジケータタグである。
【０００６】
実施形態の別の開示される特徴は、インジケータタグを製作するための方法である。一実施形態において、本方法は、印刷デバイスによって、水溶性及び紫外線（ＵＶ）光硬化性インクで３次元メッシュを印刷することであって、３次元メッシュは、複数の孔を伴って印刷される、印刷することと、３次元メッシュを容器で封入することと、３次元メッシュの上部上に膜を適用することと、膜の上部上に染料を分配することであって、３次元メッシュは、染料と接触しているときに、染料と相互作用して、指標を提供する、分配することと、を含む。
【図面の簡単な説明】
【０００７】
【図１】本開示の例示的なインジケータタグの等角図を例解する。
【図２】本開示の例示的なインジケータタグの分解等角図を例解する。
【図３】本開示のインジケータタグを起動する動作フロー図を例解する。
【図４】本開示のインジケータタグを製作するための例示的な方法のフローチャートを例解する。
【発明を実施するための形態】
【０００８】
本開示は、色遷移を呈するインジケータタグ、及びそれを製造するための方法を広く開示する。上で考察されるように、様々な製品は、有効期限を有し得るか、又はある一定の温度若しくは圧力に曝露されたときに故障の可能性を有し得る。上に記載されるように、有効期限、又はある一定の温度及び圧力への曝露を示すために、手動の解決策又は高価な電子的な解決策に依存しようとすることは、実行可能でない場合がある。
【０００９】
本開示は、異なる指標を提供するために色遷移を呈することができる、低コストの印刷可能インジケータタグを提供する。インジケータタグは、３次元プリンタを使用して印刷することができる。インジケータタグは、様々な時間、温度、及び／又は圧力を示すように製造することができる。
【００１０】
図１は、本開示の例示的なインジケータタグ１００の等角図を例解する。一実施形態において、インジケータタグ１００は、容器１０２と、メッシュ１０４と、膜１０６と、染料１０８と、を含む。容器１０２は、メッシュ１０４を封入し得る。
【００１１】
一実施形態において、メッシュ１０４は、３次元（３Ｄ）メッシュであり得る。メッシュ１０４は、印刷デバイスを介して印刷され得る。例えば、メッシュ１０４は、水溶性及び紫外線（ＵＶ）光硬化性インクで印刷され得る。印刷デバイスは、水溶性ＵＶ硬化性インクをプラットフォーム又は表面上に分配する印刷ヘッドを有し得る。インクは、ＵＶ光下で硬化され得る。
【００１２】
一実施形態において、硬化されたときのインクは、堅固な構造を有し得る。換言すれば、ＵＶ硬化インクは、硬質の質感を有し得る。水溶性ＵＶ硬化性インクは、様々な異なる表面上に隆起した画像を印刷するために使用され得る。しかしながら、水溶性ＵＶ硬化性インクは、メッシュ１０４を構築するために追加の層に印刷され得る。
【００１３】
一実施形態において、膜１０６は、メッシュ１０４の上部に適用され得る。一実施形態において、膜１０６は、膜１０６とメッシュとの間に間隙を形成するように、容器１０２の外周に適用され得る。間隙は、場合によっては、膜１０６が穿刺されることを可能にし得る。膜１０６は、以下に更に詳細に考察されるように、異なる指標を提供するように、様々な異なる材料から製作され得る。
【００１４】
一実施形態において、インジケータタグ１００はまた、膜１０６の上部上に分配される染料１０８を含み得る。一実施形態において、染料１０８は、膜１０６の上部上に封入され得る。例えば、染料１０８を含有するために別の膜又は層が適用され得る。染料１０８は、メッシュ１０４と相互作用するために使用され得る水系インクであり得る。
【００１５】
一実施形態において、染料１０８がメッシュ１０４に接触するとき、染料１０８は、メッシュ１０４を溶解し得る。例えば、膜１０６は、除去され得る、指標に起因して溶解され得る、指標に起因して開放し得る、穿刺され得る、などである。
【００１６】
一実施形態において、メッシュ１０４は、有効期限の任意の所望の指標を提供するように設計され得る。メッシュ１０４がどのように設計及び製作されるかに基づいて、有効期限の指標は、染料１０８がメッシュ１０４を完全に溶解するときに、提供され得る。一実施形態において、分配される染料１０８の量は、所望の指標に基づき得、かつメッシュ１０４を指標内で溶解するのに十分な量であり得る。
【００１７】
一実施形態において、染料１０８の色、及びメッシュ１０４を印刷するために使用される水溶性ＵＶ硬化性インクの色は、相補的な色であり得る。例えば、染料１０８は、黄色であり得、メッシュ１０４は、緑色であり得る。結果として、染料１０８がメッシュ１０４を完全に溶解するとき、残りの液体は、青色の液体であり得る。
【００１８】
ユーザは、残りの液体が完全に青色であるときに、指標が存在することが分かり得る。例えば、指標が有効期限（例えば、３ヶ月）であった場合、ユーザは、メッシュ１０４が完全に溶解され、かつ残りの液体が青色になるまで、有効期限に到達していないことが分かり得る。
【００１９】
一実施形態において、容器１０２は、リップ１２０を有し得る。リップ１２０は、染料１０８が容器１０２から溢出及び漏出しないことを確実にし得る。容器１０２は、メッシュ１０４とほぼ同じである長さ及び幅を有し得る。一実施形態において、容器１０２は、水溶性ＵＶ硬化性インクで印刷され得る。換言すれば、容器１０２及びメッシュ１０４は、単一の一体型印刷部分であり得る。
【００２０】
図２は、例示的なインジケータタグ１００の分解等角図を例解する。図２は、容器１０２と、メッシュ１０４と、膜１０６と、染料１０８と、を例解する。図２は、別個の構成要素として容器１０２及びメッシュ１０４を例解しているが、上に記載されるように、容器１０２及びメッシュ１０４は、単一の一体部品として印刷され得ることに留意されたい。
【００２１】
一実施形態において、メッシュ１０４は、孔１１０１〜１１０ｎ（以降、個別に孔１１０、又は集合的に孔１１０とも称される）を含み得る。上に記載されるように、メッシュ１０４は、所望の指標を提供するように印刷され得る。例えば、孔１１０は、直径１１２又は開口サイズを有し得る。一実施形態において、孔１１０の直径１１２は、所望の指標を達成するように変更され得る。孔１１０がより大きいほど、染料１０８は、より迅速にメッシュ１０４に進入し、メッシュ１０４を溶解し得る。いくつかの用途において、即時的な指標を有することが所望され得る。したがって、孔１１０の直径１１２は、染料１０８が、接触時にメッシュ１０４をほぼ即時的に溶解することを可能にするように大きく作製され得る。
【００２２】
別の実施形態において、より遅い指標を有することが所望され得る。したがって、孔１１０の直径１１２は、染料１０８がメッシュ１０４に迅速に進入することを防止するように、より小さく作製され得る。したがって、染料１０８は、メッシュ１０４をゆっくりと溶解し得る。一実施例において、指標は、上に記載されるように、有効期限であり得る。結果として、孔１１０の直径１１２は、染料１０８が所望の時間量内にメッシュ１０４を完全に溶解することを可能にするように作製され得る。
【００２３】
一実施形態において、メッシュ１０４は、有限孔径を有する格子状構造を有するように印刷され得る。メッシュ１０４の格子状構造は、染料１０８の存在下で制御された溶解を有し得る。一実施例において、メッシュ１０４と染料１０８との相互作用は、ｙ＝ａ（１−ｅ−ｂｔ）などの２次元双曲線減衰関数に従うことができ、式中、ａ及びｂは、定数であり、ｅは、指数関数であり、ｔは、時間である。減衰関数は、ユーザ選択され得る、ａの最大値によって結合され得る。ｂの値は、メッシュ１０４内の孔径を表し得る。ｂの値がより小さいほど、減衰関数が平衡（例えば、染料１０８内のメッシュ１０４の完全な溶解）に到達するのにより多くの時間がかかる。
【００２４】
インジケータタグ１００は、様々な異なる指標を提供するように設計され得る。例えば、指標は、上に記載されるような有効期限、温度への曝露、事前定義された時間量の温度への曝露、圧力などを含み得る。有効期限の例において、メッシュ１０４は、薬剤の有効期限を示すように、３ヶ月以内に溶解するように設計され得る。処方薬瓶のキャップは、インジケータタグ１００を含み得る。ユーザがキャップを開放するとき、ユーザは、膜１０６を穿刺して、染料１０８がメッシュ１０４に接触することを可能にし得る。３ヶ月後、メッシュ１０４は、染料１０８によって完全に溶解され得る。
【００２５】
有効期限に関する別の例において、インジケータタグ１００は、遊園地へのデイパス用に使用され得る。例えば、メッシュ１０４は、２４時間後に溶解するように設計され得る。結果として、顧客が遊園地に入園するとき、膜１０６は、穿刺又は除去されて、染料１０８がメッシュ１０４に接触することを可能にし得る。メッシュ１０４は、２４時間後に溶解し得る。したがって、顧客が再度パスを使用しようとする場合、従業員は、メッシュ１０４が染料によって完全に溶解されていることが容易に分かり得る。
【００２６】
一実施形態において、残りの液体は、染料１０８及びメッシュ１０４に対して相補的な色であり得る。例えば、染料１０８は、黄色であり得、メッシュ１０４は、緑色であり得る。メッシュ１０４が完全に溶解されるとき、残りの液体は、青色になり得る。
【００２７】
温度の例において、膜１０６は、事前定義された温度で破裂又は溶解するように作製され得る。例えば、膜１０６は、セ氏１００度（℃）で破裂又は溶融する材料であり得る。メッシュ１０４は、染料１０８と接触するとき、即時的に溶解するように設計され得る。結果として、ユーザは、インジケータタグ１００が、１００℃以上の温度に曝露されていたことが分かり得る。
【００２８】
例えば、製造元は、電子デバイスに対する保証を、デバイスが１００℃以上の温度に曝されていた場合に無効にし得る。ユーザは、自動車内の温度が１００℃を超え得る夏季に、自分のラップトップを自分の車に放置し得る。ラップトップは、故障し得、ユーザは、ラップトップを返品することを望み得る。しかしながら、製造元は、インジケータタグ１００をチェックして、メッシュ１０４が溶融していること（インジケータタグ１００（及びラップトップ）が、１００℃超の温度に曝露されていたことを示す）を確認して、返品を拒否することができる。
【００２９】
温度及び時間の例において、膜１０６は、ある期間にわたってゆっくりと溶融又は溶解することができる材料から作製され得る。例えば、膜１０６は、事前定義された温度を超える温度に事前定義された時間（例えば、１５０℃に３０分間）曝露されたときに溶融するパラフィンワックスであり得る。
【００３０】
例えば、製造元は、電子デバイスに対する保証を、デバイスが事前定義された時間よりも長い間、ある一定の温度に曝露されていた場合に無効にすることができる。例えば、カメラを１５０℃超の温度に２時間よりも長い間曝露することにより、カメラが損傷し得ることが分かり得る。したがって、ユーザがカメラの製造不良をクレームしようとする場合、製造元は、メッシュ１０４が染料１０８によって完全に溶解されていることを確認するために、インジケータタグ１００をチェックすることができる。したがって、製造元は、カメラが１５０℃超の温度に２時間よりも長い間曝露されていたことが分かり得る。
【００３１】
圧力の例において、膜１０６は、事前定義された圧力で破裂する材料から作製され得る。例えば、膜１０６とメッシュ１０４との間にガスが注入され得る。ガスは、事前定義された圧力下で膨張し得る。インジケータタグ１００が事前定義された圧力に曝露されるとき、ガスが膨張して、膜１０６を破裂させ、染料１０８がメッシュ１０４内に入ることを可能にし得る。
【００３２】
別の実施形態において、膜１０６は、多孔質材料から作製され得る。孔は、事前定義された圧力を下回る圧力に曝露されたときに、閉じたままであり得る。しかしながら、圧力が事前定義された圧力を超えると、孔が開いて、染料１０８がメッシュ１０４内に入ることを可能にし得る。
【００３３】
例えば、腕時計の製造元は、水中最大１０メートルのみまでの使用に対して、腕時計を保証し得る。腕時計が１０メートルよりも深くなると、圧力は、腕時計を誤動作させ得る。ユーザは、数百メートルの深さに腕時計とともに潜水し得る。圧力は、膜１０６を破裂させるか、又は孔を開いて、染料１０８をメッシュ１０４に接触させ得る。結果として、メッシュ１０４は、染料１０８によって完全に溶解され得る。腕時計の製造元は、このことを見ることができ、インジケータタグ１００は、時計が、推奨される１０メートルの深さでの圧力を超える圧力に曝露されていたことを示すため、腕時計の保証を無効にし得る。
【００３４】
図３は、インジケータタグ１００を作動させる例示的な動作フロー図を例解する。ブロック３０２において、膜１０６は、除去され得る。上に記載されるように、膜１０６は、インジケータタグ１００によって提供される指標に依存して、いくつかの異なる方法で除去され得る。例えば、膜１０６は、容器１０２から剥離され得、膜１０６は、穿刺され得、膜１０６は、溶融され得、膜１０６は、破裂され得、膜１０６は、開閉する孔を有し得る、などである。
【００３５】
ブロック３０４において、染料１０８は、メッシュ１０４に接触し得る。染料１０８は、メッシュ１０４の孔１１０に進入し始めて、メッシュ１０４を溶解し得る。
【００３６】
ブロック３０６において、染料１０８、及びメッシュ１０４の溶解部分は、混合し始めて、中間混合物３１０を形成し得る。中間混合物３１０は、染料１０８とメッシュ１０４の溶解部分との混合物であり得、染料１０８又はメッシュ１０４の色よりも多く見え得る。換言すれば、中間混合物３１０は、メッシュ１０４が完全に溶解していないときに形成されて、染料１０８及びメッシュ１０４に相補的な色を形成し得る。
【００３７】
ブロック３０８において、メッシュ１０４は、完全に溶解され得る。結果として、溶解したメッシュ１０４及び染料１０８は、混合して、相補的な色混合物３１２を形成し得る。上で考察されるように、染料１０８及びメッシュ１０４は、ともに混合して、第３の相補的な色を形成する色であり得る。例えば、橙色の相補色混合物３１２を形成するように、染料１０８は、赤色であり得、メッシュ１０４は、黄色であり得る。紫色の相補的な色混合物３１２を形成するように、染料１０８は、赤色であり得、メッシュ１０４は、青色であり得る、などである。
【００３８】
上で考察されるように、メッシュ１０４が染料１０８によって溶解される速度は、メッシュ１０４の設計（例えば、孔１１０の直径１１２又は開口サイズ）の関数であり得る。加えて、メッシュ１０４の設計は、所望の指標に基づき得る。例えば、メッシュ１０４は、特定の有効期限を示すように、既定の時間量にわたって溶解するように設計されてもよく、又はメッシュ１０４は、特定の温度又は圧力への曝露を示すように、即時的に溶解するように設計され得る。
【００３９】
したがって、本開示は、様々な異なる指標を提供するために使用することができる低コストかつ効果的なインジケータタグ１００を提供する。例えば、インジケータタグ１００は、有効期限、ある一定の温度への曝露、ある一定の圧力への曝露、又はこれらの任意の組み合わせを示すために使用することができる。インジケータタグ１００は、水溶性ＵＶ硬化性インクを分配及び硬化して、メッシュ１０４を形成することができる、既存のプリンタを使用して製造することができる。
【００４０】
図４は、本開示のインジケータタグを製作するための例示的な方法４００のフローチャートを例解する。一実施形態において、方法４００の１つ以上の工程又は動作は、水溶性ＵＶ硬化性インク及び／又は組み立てライン若しくは製造施設の一部としての製造機器の１つ以上の品目を分配又は印刷するプリンタによって実行され得る。
【００４１】
ブロック４０２において、方法４００は開始する。ブロック４０４において、方法４００は、印刷デバイスによって、水溶性及び紫外線（ＵＶ）光硬化性インクで３次元メッシュを印刷し、３次元メッシュには、複数の孔が印刷される。一実施例において、外部コンピューティングデバイスを使用して、メッシュを設計及びモデル化し得る。３Ｄモデルは、プリンタに送信され得る。次いで、プリンタは、層ごとに水溶性ＵＶ硬化性インク層を分配し得る。例えば、水溶性ＵＶ硬化性インクは、第１の層上に分配され、次いで、硬化され得る。次いで、プリンタは、第２の層上に水溶性ＵＶ硬化性インクを分配し、次いで、硬化させる、などであり得る。
【００４２】
水溶性ＵＶ硬化性インクは、メッシュの３Ｄモデルの設計に従って分配され得る。設計は、メッシュ内の複数の孔、孔のサイズ（例えば、平均直径）などといった特徴を含み得る。
【００４３】
ブロック４０６において、方法４００は、３次元メッシュを容器で封入する。例えば、容器は、非可溶性材料であり得る。例えば、容器は、プラスチック又は金属から製作され得る。別の実施形態において、容器もまた、印刷され得る。容器は、メッシュの一部として印刷され得る。換言すれば、容器及びメッシュは、単一の一体型部品として印刷され得る。
【００４４】
ブロック４０８において、方法４００は、３次元メッシュの上部上に膜を適用する。一実施形態において、膜は、３次元メッシュの上部上に直接適用され得る。一実施形態において、膜は、膜を容器の外縁部の周囲に適用することによって、３次元メッシュの上部の上に配置され得る。
【００４５】
膜は、上で考察されるように、インジケータタグによって提供される指標に依存して、様々な異なる材料から製作され得る。膜は、穿刺され得る任意の薄いプラスチック片であり得、膜は、溶融する材料（例えば、パラフィンワックス）であり得、膜は、破裂する材料であり得、膜材料は、ある一定の圧力下で開放する孔を有する多孔質材料であり得る、などである。
【００４６】
ブロック４１０において、方法４００は、膜の上部上に染料を分配し、３次元メッシュは、染料と接触しているときに、染料と相互作用して、指標を提供する。上で考察されるように、染料及び３次元メッシュの色は、混合されたときに、第３の色を形成するように相補的な色であり得る。指標は、有効期限、事前定義された温度への曝露、事前定義された圧力への曝露などであり得る。ブロック４１２において、方法４００は、終了する。
【００４７】
明示的に指定されていないが、上で説明される方法４００の１つ以上の工程、機能、又は動作は、特定の用途に必要とされる際、記憶、表示、及び／又は出力工程を含み得ることに留意されたい。換言すれば、本方法において考察されるいかなるデータ、記録、フィールド、及び／又は中間結果も、特定の用途に必要とされる際、別のデバイスに記憶、表示、及び／又は出力することができる。更に、上記開示における「任意選択的な」という用語の使用は、「任意選択的」として標識されていないいかなる他の工程も、任意選択的ではないことを意味するものではない。したがって、任意選択的なものとして標識されていない工程を列挙しないいかなる特許請求の範囲も、必須の工程を欠いているとして見なされるべきではなく、代わりに、そのような省略された工程が、その実施形態において任意選択的であると見なされる実施形態を列挙するものとして見なされるべきである。
【図１】
2020101797.tif 000003
【図２】
2020101797.tif 000004
【図３】
2020101797.tif 000005
【図４】
2020101797.tif 000006